(57)【要約】      （修正有）【課題】書類に孔を開けず、ポケットなども使用せず、且つ簡単な仕組みで書類を確実に保持する書類フォルダを提供する。【解決手段】帯状紙を多数枚重ねてその側部を綴じ合わせた挟着体を、フォルダ本体の背部内側に接着し、帯状紙と帯状紙の間に書類を差し込み、摩擦により書類を保持する。【選択図】図２
0003154562.tif 000002
【実用新案登録請求の範囲】
【請求項１】
帯状紙を多数枚重ねてその側部を綴じ合わせた挟着体を、表紙と裏表紙の中間の背部内側に接着して成る書類フォルダ。
【請求項２】
前記帯状紙の横幅を上から下に重なる順に広くして、挟着体の側面を傾斜面に形成することを特徴とする請求項１記載の書類フォルダ。
【請求項３】
前記挟着体が帯状紙を無線綴じで形成されたものであることを特徴とする請求項１記載の書類フォルダ。
【請求項４】
前記帯状紙に滑り抑制作用を有するノンスリップインクを印刷することを特徴とする請求項１記載の書類フォルダ。
【請求項５】
前記ノンスリップインクが東洋インキ製NSコンパウンドを25〜50重量％含むものであることを特徴とする請求項４記載の書類フォルダ。
【考案の詳細な説明】
【技術分野】
【０００１】
これは書類を綴じるためのフォルダに関する考案である。綴じる対象は書類に限らない。写真、はがき、パンフレット等々、薄いシート状のものであれば種類を問わない。
【背景技術】
【０００２】
現在広く普及しているフォルダのひとつに、通称フラットファイルがある。これは未使用時に平面状態を呈するためその名称があるが、使用時には厚紙を二つに折って表と裏の表紙とし、二つ折りの真ん中の背に当たる部分の内側にポリ足と呼ばれるプラスチック製の綴じ具を設け、これを書類の孔に通してスライダ式の押えで止める構造である。
フラットファイルの短所は書類に孔を開けなければならないことである。書類に孔あけ用の余白がない場合、やむなく文字などに孔が開いて、書類がしばしば判読不能になる。また綴じたあと、奥の頁を取り出す場合、手前の頁を全部取り外す必要があり、書類の出し入れが煩わしいという問題もある。
【０００３】
こうした書類の孔開けを嫌う向きには、クリアブックが広く使われている。
これは、透明な樹脂シート製の袋状ポケットの側縁をブック式に綴じ合わせた構造で、書類をポケットにそのまま入れられるので、孔開けの必要がないが、半面、書類が少ない場合、空のポケットが無意味に嵩張るという短所がある。
【０００４】
そこでこれらの短所を解消するため、書類の端をフォルダの内側に取外し自在に接着するものが提案されている（特許文献１）。
これはフォルダの背の内側に特殊な粘着部を設け、そこに書類の端面を接着し、取り外すときは書類を引っ張って粘着部から剥がす仕組みになっている。
これによれば、書類に孔を開けず、余計なポケットも存在しないから、上記の短所は解消されるが、接着と剥離を繰り返すうちに粘着部の接着力が次第に低下するため、長期の使用に耐え難いという短所がある。
【先行技術文献】
【特許文献】
【０００５】
【特許文献１】実用新案登録2531053号公報
【考案の概要】
【考案が解決しようとする課題】
【０００６】
そこで本考案が解決しようとする課題は、どうしたら書類に孔を開けずに、またポケットなど余計なものを使わずに、長期間書類を綴じられるかという点と、どうしたらそれを簡単な構造で実現できるかという点にある。
【０００７】
本考案の目的は、書類を綴じたり外したりが簡単にできること、書類の孔開けが不要なこと、ポケットのように書類が少ない場合の無駄な嵩張りがないこと、繰り返し使用しても書類を綴じる能力が減退しないこと、及び構造が簡単で安価に製造できることである。
【課題を解決するための手段】
【０００８】
請求項１に係る考案は、帯状紙を多数枚重ねてその側部を綴じ合わせた挟着体を、表紙と裏表紙の中間の背部内側に接着して成る書類フォルダである。
請求項２に係る考案は、請求項１の帯状紙の横幅を上から下に重なる順に広くして、挟着体の側面を傾斜面に形成することを特徴とする。
請求項３に係る考案は、請求項１の挟着体が帯状紙を無線綴じで形成されたものであることを特徴とする。
請求項４に係る考案は、請求項１の帯状紙に滑り抑制作用を有するノンスリップインクを印刷することを特徴とする。
請求項５に係る考案は、請求項４のノンスリップインクが東洋インキ製NSコンパウンドを25〜50重量％含むものであることを特徴とする。
【考案の効果】
【０００９】
請求項１の考案によれば、書類は挟着体を開いて帯状紙と帯状紙の間に書類の端を差し込んで綴じるから書類に孔を開ける必要がないし、またポケットもないから書類の枚数が少ない場合でも無駄な嵩張りがない。また書類を取り出すには、挟着体を少し開くだけで抜き取ることができ、取扱いが極めて簡単である。さらに書類は挟んだ帯状紙との摩擦で保持されるから、繰り返し使用しても保持性能に減退がなく長期の使用に耐えられる。そのうえ構造が簡易で素材が紙だけなので軽量で安価に製造できる。
請求項２の考案によれば、挟着体の側面が傾斜面を呈するから指先を傾斜面に沿って滑らせれば、簡単に挟着体を開いて書類を差し込むことができる。
請求項３の考案によれば、挟着体を無線綴じで形成するから大きく開くことができ、そのため書類を挟着体の奥まで差し込んで確実に保持できる。
請求項４の考案によれば、ノンスリップインクの滑り抑制作用により書類の保持力が向上する。
請求個５の考案によれば、ノンスリップインクの滑り抑制作用を強化向上できる。
【図面の簡単な説明】
【００１０】
【図１】本考案を実施した書類フォルダの要部斜視図
【図２】図１の書類フォルダの開いた状態の底面図
【図３】図１の書類フォルダの閉じた状態の底面図
【図４】別の実施例の要部平面図
【図５】図４の矢印に沿う切断端面図
【図６】さらに別の実施例の要部平面図
【考案を実施するための形態】
【００１１】
本考案の実施の形態を図面に示して説明する。
１は比較的厚手の紙製のフォルダ本体で、中央の背部１aを挟んで表紙１bと裏表紙１cが一枚につながっている。図６のように、表紙１bまたは裏表紙１cと背部１aとの境界部に折り目２を設け、そこを屈曲線として表紙等を開いたり閉じたりする。折り目２の隣りにもう１本の折り目３を設け、書類の枚数が多い場合は、折り目３を屈曲線として表紙等を開いたり閉じたりさせてもよい。
４は挟着体で、帯状紙５を多数枚重ね、その側部を綴じ合わせて形成する。帯状紙５の紙質は問わないが、上質紙が好適である。公知の無線綴じで綴じ合わせると、挟着体４が容易に奥まで広く開くことができ都合がよい。
図１〜３の例では、帯状紙５は全て短冊形で同一形状であるが、図４、５の例では帯状紙５の幅が上から下に重なる順に広くなっている。このため挟着体４の側面が傾斜面６となる。帯状紙５の枚数は５０〜１００枚程度が適当であるが、背部１aの幅に応じて増減する。また挟着体４の側面に傾斜面６を形成する場合、その傾斜角度は帯状紙の枚数にもよるが、底辺と上辺の差が５〜１５ｍｍ程度になるのが好ましい。５ｍｍを下回ると傾斜面の効果がなく、１５ｍｍを上回ると場所により書類に対する摩擦力に格差を生ずるおそれが出るからである。
挟着体４の背と表裏の表紙に相当する部分は帯状紙５よりも厚手の紙を使用すると、丈夫で耐久性が良い。
挟着体４はフォルダ本体１の背部１aの内側に接着して固定する。
【００１２】
これを使用するには、挟着体４を書籍のページを開くように大きく開いて、そこに書類Ｐの端を差し込むだけでよい（図２参照）。この状態でフォルダ本体１を閉じれば、帯状紙５との摩擦で書類Ｐが保持される（図３参照）。
帯状紙５に滑り抑制作用を有するノンスリップインクを印刷すると、摩擦性能が向上し書類Ｐはいっそう確実に保持される。その場合は帯状紙５の縦の長さを、図６に示すように、フォルダ本体１に対し短くすることも可能である。ノンスリップインクとしては、通常のプロセスインクに東洋インキ製NSコンパウンドを25〜50重量％含むものが好適である。
図４，５のように傾斜面にして面積を拡大すると、指先を傾斜面に沿って滑らせ簡単に挟着体を開いて書類Ｐを差し込むことができる。指先を使わずに書類Ｐを帯状紙５の間に差し込むことも出来る。
挟着体４に挟んだ書類Ｐを取り外すときは、図２のように開いて抜き取るか、開かない場合は少し強めに引っ張ればよい。
【産業上の利用可能性】
【００１３】
本考案は、書類のほか写真、はがき、パンフレット等々、薄いシートのフォルダに利用できる。
【符号の説明】
【００１４】
１はフォルダ本体、１aはその背部、１bは表紙、１cは裏表紙である。
２及び３は折り目、４は挟着体、５は帯状紙、Ｐは書類。
【図１】
0003154562.tif 000003
【図２】
0003154562.tif 000004
【図３】
0003154562.tif 000005
【図４】
0003154562.tif 000006
【図５】
0003154562.tif 000007
【図６】
0003154562.tif 000008